(57)【要約】【課題】ナットを雄ねじ体に無回転で嵌合する型式のナットにおいて、ナットを無回転で嵌合した後に、自動的に増し締めされて、従来のような手操作による増し締めを不要にする。【解決手段】ケーシング２内に、雄ねじ体の挿通部３を形成し、該挿通部３の外側に、後方が拡径するテーパ面５を有するテーパ穴部３ａを形成する。テーパ穴３ａ部に、雌型係止部材７を、前記テーパ面に沿って前後方向に移動可能に配置する。雌型係止部材７の内面には、挿入される雄ねじ体に噛合する雌ねじ７ｄを刻設する。前記雌型係止部材７を前方へ付勢する付勢手段７ｄを設ける。前記雌型係止部材７の後方への移動時には該雌型係止部材７を緩み方向に回動させ、雌型係止部材７の前方への移動時には該雌型係止部材７を締め方向に回動させる案内手段６を設ける。【選択図】        図１
2005061570.tif 000002
【特許請求の範囲】
【請求項１】
ケーシング内に雄ねじ体を挿通する挿通部を設けるとともに該挿通部の外側に後方が拡径するテーパ面を有するテーパ穴部を設け、該テーパ穴部に、内面に雌ねじを有する雌型係止部材を前後移動可能に設けるとともに該雌型係止部材を前方へ付勢してなるナットにおいて、前記雌型係止部材を、その後方への移動により緩み方向に回動し、前方への移動により締め方向に回動するようにしたことを特徴とするナット。
【請求項２】
ケーシング内に、雄ねじ体の挿通部を形成し、該挿通部の外側に、後方が拡径するテーパ面を有するテーパ穴部を形成し、該テーパ穴部に、雌型係止部材を、前記テーパ面に沿って前後方向に移動可能に配置し、該雌型係止部材の内面には、挿入される雄ねじ体に噛合する雌ねじを刻設し、更に、前記雌型係止部材を前方へ付勢する付勢手段を設け、更に、前記雌型係止部材の後方への移動時には該雌型係止部材を緩み方向に回動させ、雌型係止部材の前方への移動時には該雌型係止部材を締め方向に回動させる案内手段を設けたことを特徴とするナット。
【請求項３】
ケーシング内に、雄ねじ体の挿通部を形成し、該挿通部の外側に、後方が拡径するテーパ面を有するテーパ穴部を形成し、前記テーパ面には、複数の摺動案内突条を、テーパ面の周方向に適宜間隔を有して設け、該隣接する摺動案内突条の間に雌型係止部材を、前記テーパ面に沿って移動可能に配置し、前記雌型係止部材の内面には、挿入される雄ねじ体に噛合する雌ねじを刻設し、更に、前記雌型係止部材を前方へ付勢する付勢手段を設け、更に、前記摺動案内突条を、前記雌型係止部材の後方への移動時にはこれを緩み方向へ回動させ、雌型係止部材の前方への移動時にはこれを締め方向へ回動させるように、ケーシングの軸芯に対して傾斜して設けたことを特徴とするナット。
【請求項４】
ケーシング内に、雄ねじ体の挿通部を形成し、該挿通部の外側に、後方が拡径するテーパ面を有するテーパ穴部を１個形成し、該１個のテーパ穴部内に１個の雌型係止部材を、前記テーパ面に沿って移動可能に配置し、該雌型係止部材の内面には、挿入される雄ねじ体に噛合する雌ねじを刻設し、更に、前記雌型係止部材を前方へ付勢する付勢手段を設け、更に、前記１個のテーパ穴部の周方向の両側面を、前記雌型係止部材の後方への移動時にはこれを緩み方向へ回動させ、雌型係止部材の前方への移動時にはこれを締め方向へ回動させるように、ケーシングの軸芯に対して傾斜して設けたことを特徴とするナット。
【請求項５】
ケーシング内に、雄ねじ体の挿通部を形成し、該挿通部の外側に、後方が拡径するテーパ面を有するテーパ穴部を形成し、前記テーパ面には、雌型係止部材を、前記テーパ面に沿って移動可能に配置し、該雌型係止部材の内面には、挿入される雄ねじ体に噛合する雌ねじを刻設し、更に、前記雌型係止部材を前方へ付勢する付勢手段を設け、更に、前記テーパ面には案内溝を設け、前記雌型係止部材には前記案内溝に摺動可能に嵌合する突起を設け、前記案内溝を、前記雌型係止部材の後方への移動時にはこれを緩み方向へ回動させ、雌型係止部材の前方への移動時にはこれを締め方向へ回動させるように、ケーシングの軸芯に対して傾斜して設けたことを特徴とするナット。
【発明の詳細な説明】
【技術分野】
【０００１】
本発明は連結具として用いられるナットに関する。
【背景技術】
【０００２】
従来、部材相互の連結具として用いられるナットとして、そのナットを回転することなくボルトに締結できるものが知られており、例えば図１１乃至図１４に示す構造のものが知られている。
【０００３】
この図１１乃至図１４に示すナット１０１は、内部に後側が拡径し、前側に挿入口１０３を有するテーパ穴１０２を形成するとともに、そのテーパ穴１０２の内面に軸方向に沿った摺動案内突条１０４を周方向に分割して複数形成したケーシング１０５と、外面を前記テーパ穴１０２に沿うテーパ面に形成するとともに内面に雌ねじ１０６を形成して、前記摺動案内突条１０４間に、軸方向へ摺動可能に介在した楔状の雌型係止部材１０７と、該雌型係止部材１０７を、バネ受け１０８を介して前記テーパ穴１０２の小径の挿入口１０３側へ付勢する圧縮バネ１０９と、蓋１１０とで構成されている。
【０００４】
そして、図１４に示すように、前記ナット１０１を、回転することなく挿入口１０３から雄ねじ体であるボルト１１１に挿通することにより、分割された雌型係止部材１０７の雌ねじ１０６がボルト１１１の雄ねじ１１２に係合してその雌型係止部材１０７が圧縮バネ１０９に抗して大径側へ移動し、複数個の雌型係止部材１０７で形成される雌ねじ孔の内径が拡径してナット１０１をボルト１１１の所定位置まで挿通でき、その挿通が終わると、圧縮バネ１０９の付勢力によって各雌型係止部材１０７が前側へ移動して、その雌ねじ１０６がボルト１１１の雄ねじ１１２に噛合し、ナット１０１をボルト１１１に締着できるようになっている。
【０００５】
しかし、前記従来の構造のナットにおいては、図１４に示すようにボルト１１１に挿通した場合に、雌型係止部材１０７の雌ねじ１０６が、ボルト１１１における雄ねじ１１２の最終的に噛合すべきねじ山を乗り越えることができず、そのナット１０１の前端面１１３と連結部材１１４との間に隙間ｄが発生することがある。そのため、ナット１０１をボルト１１１に無回転で挿通した後に、最後にナット１０１を手操作で締め方向に若干回転（約１．５回転）しなければならない問題がある。
【特許文献１】実公昭５５−４８１７１号公報
【発明の開示】
【発明が解決しようとする課題】
【０００６】
本発明が解決しようとする課題は、前記従来のようにナットを最後に手操作で回転することなくナットをボルトに無回転で挿通するのみで前記のような連結部材との隙間をなくし、ナットの締め作業の容易化及び、ナットを手操作で締め付け回転できない部位での連結において、連結部材間の前記の隙間の発生を防止できるナットを提供することを目的とするものである。
【課題を解決するための手段】
【０００７】
本発明は前記の課題を解決するもので、請求項１記載の発明は、ケーシング内に雄ねじ体を挿通する挿通部を設けるとともに該挿通部の外側に後方が拡径するテーパ面を有するテーパ穴部を設け、該テーパ穴部に、内面に雌ねじを有する雌型係止部材を前後移動可能に設けるとともに該雌型係止部材を前方へ付勢してなるナットにおいて、前記雌型係止部材を、その後方への移動により緩み方向に回動し、前方への移動により締め方向に回動するようにしたことを特徴とするものである。
【０００８】
請求項２記載の発明は、ケーシング内に、雄ねじ体の挿通部を形成し、該挿通部の外側に、後方が拡径するテーパ面を有するテーパ穴部を形成し、該テーパ穴部に、雌型係止部材を、前記テーパ面に沿って前後方向に移動可能に配置し、該雌型係止部材の内面には、挿入される雄ねじ体に噛合する雌ねじを刻設し、更に、前記雌型係止部材を前方へ付勢する付勢手段を設け、更に、前記雌型係止部材の後方への移動時には該雌型係止部材を緩み方向に回動させ、雌型係止部材の前方への移動時には該雌型係止部材を締め方向に回動させる案内手段を設けたことを特徴とするものである。
【０００９】
請求項３記載の発明は、ケーシング内に、雄ねじ体の挿通部を形成し、該挿通部の外側に、後方が拡径するテーパ面を有するテーパ穴部を形成し、前記テーパ面には、複数の摺動案内突条を、テーパ面の周方向に適宜間隔を有して設け、該隣接する摺動案内突条の間に雌型係止部材を、前記テーパ面に沿って移動可能に配置し、前記雌型係止部材の内面には、挿入される雄ねじ体に噛合する雌ねじを刻設し、更に、前記雌型係止部材を前方へ付勢する付勢手段を設け、更に、前記摺動案内突条を、前記雌型係止部材の後方への移動時にはこれを緩み方向へ回動させ、雌型係止部材の前方への移動時にはこれを締め方向へ回動させるように、ケーシングの軸芯に対して傾斜して設けたことを特徴とするものである。
【００１０】
請求項４記載の発明は、ケーシング内に、雄ねじ体の挿通部を形成し、該挿通部の外側に、後方が拡径するテーパ面を有するテーパ穴部を１個形成し、該１個のテーパ穴部内に１個の雌型係止部材を、前記テーパ面に沿って移動可能に配置し、該雌型係止部材の内面には、挿入される雄ねじ体に噛合する雌ねじを刻設し、更に、前記雌型係止部材を前方へ付勢する付勢手段を設け、更に、前記１個のテーパ穴部の周方向の両側面を、前記雌型係止部材の後方への移動時にはこれを緩み方向へ回動させ、雌型係止部材の前方への移動時にはこれを締め方向へ回動させるように、ケーシングの軸芯に対して傾斜して設けたことを特徴とするものである。
【００１１】
請求項５記載の発明は、ケーシング内に、雄ねじ体の挿通部を形成し、該挿通部の外側に、後方が拡径するテーパ面を有するテーパ穴部を形成し、前記テーパ面には、雌型係止部材を、前記テーパ面に沿って移動可能に配置し、該雌型係止部材の内面には、挿入される雄ねじ体に噛合する雌ねじを刻設し、更に、前記雌型係止部材を前方へ付勢する付勢手段を設け、更に、前記テーパ面には案内溝を設け、前記雌型係止部材には前記案内溝に摺動可能に嵌合する突起を設け、前記案内溝を、前記雌型係止部材の後方への移動時にはこれを緩み方向へ回動させ、雌型係止部材の前方への移動時にはこれを締め方向へ回動させるように、ケーシングの軸芯に対して傾斜して設けたことを特徴とするものである。
【発明の効果】
【００１２】
本発明においては、ナットに雄ねじ体を挿入することにより、雌型係止部材がテーパ面により径方向の外側へ移動して、ナットを回転することなく雄ねじ体に嵌合装着できる。
【００１３】
また、ナットが最終位置まで無回転で装着されると、雌型係止部材の雌ねじが雄ねじ体における雄ねじの最終的に噛合すべきねじ山を乗り越えることができない場合には、雌型係止部材が自動的に締め方向に回動し、増し締めされる。したがって、ナットを無回転で雄ねじ体へ嵌合するのみで、ナットと連結部材間に隙間を生じることなく連結することができる。
【発明を実施するための最良の形態】
【００１４】
図１乃至図１０は好ましい実施の形態を示すもので、先ず、図１乃至図６に示す第１実施例を説明する。
【００１５】
ナット１を構成するケーシング２は筒状、例えば外周面が多角形の筒状或いは外周面が円形の筒状に形成されている。図の例では外面が多角形に形成されている。
【００１６】
該ケーシング２内には、その前側（図においてＡ側）と後側（図においてＢ側）が開口する雄ねじ体の挿通部３が貫通形成され、その外周部にテーパ穴部３ａが形成されており、その前側の開口が挿入口４になっている。更に、該テーパ穴部３ａの内周面は、前側（前方）Ａから後側（後方）Ｂにかけて内径が徐々に拡大するテーパ面５に形成されている。
【００１７】
前記テーパ穴部３ａの周面、すなわちテーパ面５には、摺動案内突条６が、図４に示すように、周方向に所定の間隔を有して複数個固設されている。図の実施例では周方向に等間隔に３個設けられている。該各摺動案内突条６は、図２（ａ）の展開図に示すように、その前後方向の軸芯Ｙ−Ｙを、ケーシング２の軸芯Ｘ−Ｘに対し周方向に、前側Ａがケーシング２の締め方向Ｃ側へ、後側Ｂがケーシング２の緩め方向Ｄへ傾斜するように所定の角度θに傾斜させて形成されている。この角度θは約１５〜２０度に設定している。また、この各摺動案内突条６はケーシング２の軸方向に細長い突条で形成され、かつ、その両側面６ａ，６ｂも前記の角度θに傾斜した面に形成されている。
【００１８】
前記のように摺動案内突条６を形成することにより、これら摺動案内突条６，６間に、後述する雌型係止部材７が嵌合する案内空間８が形成される。この案内空間８を図２（ａ）で示しているが、テーパ穴部３ａのテーパ面５が、その前側Ａを縮径して形成されていることにより、実際には、案内空間８の前側Ａの周方向長Ｌ１は後側Ｂの周方向長Ｌ２よりも短くなっており、案内空間８は前側Ａが狭いテーパ状になっている。
【００１９】
前記テーパ穴部３ａ内であって、前記隣接する摺動案内突条６，６間の案内空間８には、横断面が扇状で、縦断面が楔状の雌型係止部材７が、前記Ｙ−Ｙ方向に摺動可能に配設されている。該雌型係止部材７は周方向に３個設けられた案内空間８にそれぞれ配設され、計３個周方向に設けられている。
【００２０】
該雌型係止部材７は、その前側Ａの周方向長が後側の周方向長より短い楔状に形成されている。すなわち、その外面７ａが前記ケーシング２のテーパ面５の軸方向に沿ったテーパ面で、かつ、ケーシング２の軸芯を中心とする円弧面に形成され、更にその両側面７ｂ，７ｃが、ケーシング２の軸芯Ｘ−Ｘに対し、前記のように周方向にθの角度で傾斜して形成されている。したがって、該雌型係止部材７の一方の側面７ｂが、隣接する一方の摺動案内突条６の傾斜した一側面６ａに沿い、雌型係止部材７の他方の側面７ｃが、隣接する他方の摺動案内突条６の傾斜した他側面６ｂに沿うようになっている。
【００２１】
前記の摺動案内突条６の側面６ａ，６ｂと雌型係止部材７の側面７ｂ，７ｃが雌型係止部材７を、その緩み方向と締め方向に回動させる案内手段を構成している。
【００２２】
更に、前記雌型係止部材７の内周面には、雌ねじ７ｄが、ケーシング２の軸芯を中心とする螺旋の一部で形成されており、この複数の、図の例では３個の雌型係止部材７の雌ねじ７ｄにより、雌ねじ穴を形成している。また、該雌ねじ７ｄ部は、前記挿入口４の周縁及び前記摺動案内突条６の内面よりも内側へ突出するように形成されている。
【００２３】
前記各雌型係止部材７は、その後端が図３に示すように各摺動案内突条６の後端より後方へ突出しており、各雌型係止部材７の後端に共通してバネ受け９が配置されている。
【００２４】
また、ケーシング２の後端には、中央にボルト挿通穴１０ａを形成した蓋板１０が、ビス或いはねじ込みなどにより固設されており、該蓋１０と前記バネ受け９間に、付勢手段であるバネ１１が圧縮状態で介在され、該バネ１１の付勢力により、前記各雌型係止部材７を常時前側Ａ、すなわち、挿入口４側へ付勢している。
【００２５】
次に前記のナット１を雄ねじ体であるボルト１２に螺着する際の作動について説明する。
【００２６】
図３及び図４に示すように組み付けられたナット１を、図３に示すようにボルト１２に対向させ、その挿入口４からボルト１２が挿入するように、ナット１を回転することなく、ナット１とボルト１２を相対的に移動させる。なお、各雌型係止部材７が図３に示すように前進した状態では、これらの雌ねじ７ｄで形成される雌ねじ穴の直径は、ボルト１２の雄ねじ１２ａの直径よりも小径になっている。
【００２７】
図３の状態からボルト１２が挿入口４を通じてナット１内に挿入されると、ボルト１２の雄ねじ１２ａ部が雌型係止部材７の雌ねじ７ｄに係合し、各雌型係止部材７がバネ１１の付勢力に抗して後側Ｂへ押し移動される。この移動により、各雌型係止部材７はテーパ面５，７ａに沿って、径方向の外側へ移動し、これら各雌型係止部材７で形成された雌ねじ穴が拡径してボルト１２が挿入される。
【００２８】
このとき、図３に示すように、各雌型係止部材７は、その後側（後方）Ｂへの移動Ｅにつれて、摺動案内突条６の傾斜した側面６ａ，６ｂ及び雌型係止部材７の側面７ｂ，７ｃに案内されてＦ方向に傾斜して移動され、その結果、ナット１の緩め方向Ｄ側へ回動する。
【００２９】
そして、図６に示すように、ナット１が、そのケーシング２の前端面２ａが連結部材１３に当接するまで回転することなく挿入された際に、この挿入のみでは雌型係止部材７の雌ねじ７ｄがボルト１２の雄ねじ１２ａの最終的に噛合すべきねじ山を乗り越えることができいない状態であると、各雌型係止部材７は、付勢手段であるバネ１１の付勢力による前方への戻りＧと、前記側面６ａ，６ｂ及び７ｂ，７ｃによるＨ方向への案内とによりナット１が締め方向Ｃに自動的に回動して増し締めされ、雌型係止部材７の雌ねじ７ｄがボルト１２の雄ねじ１２ａにおける最終的に噛合すべきねじ山に噛合する。そのため、ナット１と連結部材１３との間での隙間の発生がなくなり、ガタつきが生じない。
【００３０】
したがって、ナットを無回転で雄ねじ体に嵌合するのみでよいため、前記従来のように、ナットを回転して増し締めする作業が不要になる。
【００３１】
なお、前記のようなナットの締着作業から、更にナット１の締着力を高める際には、ナット１を手操作などで更に締め方向に回動することにより、各雌型係止部材７が更に締め方向に回動し、強固な締着ができる。
【００３２】
また、締着されたナット１を外す場合には、ナット１を緩め方向Ｄに回動することにより、摺動案内突条６によって各雌型係止部材７が緩め方向Ｄに回動し、ナット１をボルト１２より外すことができる。
【００３３】
前記実施例では摺動案内突条６と雌型係止部材７をそれぞれ３個設けた例であるが、これらは３個に限るものではなく、１個或いは複数個、所望の数設けるものである。
【００３４】
この摺動案内突条６と雌型係止部材７を１個とした第２実施例を図７及び図８に示す。
この第２実施例において、ナット３１を構成するケーシング３２は筒状に形成され、その内部に、雄ねじ体を挿通するための円筒状の挿通部３３が軸方向に形成されている。該挿通部３３は無ねじ面で形成されている。該挿通部３３の周方向の一部には、該挿通部３３から径方向の外側へ突出する１個の収納室３４が形成されている。該収納室３４の前側に形成したテーパ穴３４ａは、その内周面（径方向の底面）を前端側から後側にかけて内径が徐々に拡大するテーパ面３４ｂに形成され、後部空間３４ｃの内周面（径方向の底面）３４ｄは軸芯に沿って形成されて、この後部空間３４ｃがバネ収納部に形成されている。ケーシング３２の後部内側には、前記挿通部３３と収納室３４の後部内周面にわたって雌ねじ３６が刻設されている。前記挿通部３３の先部には挿入口３７が開口形成されている。
【００３５】
前記１個のテーパ穴３４ａの横断面形状は、図８に示すように、略扇型に形成され、その周方向両端部が、前記第１実施例における摺動案内突条６，６に相当する摺動案内突条３８，３８になっている。該摺動案内突条３８，３８の側面３８ａ，３８ｂは、前記図２に示す摺動案内突条６，６における側面６ａ，６ｂと同様に傾斜している。すなわち、摺動案内突条３８，３８の側面３８ａ，３８ｂは、ケーシング３２の軸芯Ｘ−Ｘに対して周方向に、前側Ａがケーシング３２の締め方向Ｃ側へ、後側Ｂがケーシング３２の緩め方向側Ｄへ傾斜するように、前記実施例と同角度θで傾斜している。
【００３６】
前記摺動案内突条３８，３８間で形成されたテーパ穴３４ａ内には、前記第１実施例と同様の、横断面が扇状で、縦断面が楔状の雌型係止部材３９が１個配置されている。また、該雌型係止部材３９の外面３９ａは前記テーパ面３４ｂに沿ったテーパ面に形成され、側面３９ｂ，３９ｃは前記側面３８ａ，３８ｂに沿った傾斜面に形成されている。
【００３７】
すなわち、本第２実施例における両摺動案内突条３８，３８の側面３８ａ，３８ｂと雌型係止部材３９の構造は前記第１実施例における１個の雌型係止部材７とこれを案内する摺動案内突条６，６の側面６ａ，６ｂと同様の構造で、雌型係止部材３９が第１実施例の雌型係止部材７と同様の動きをするようになっている。
【００３８】
前記雌型係止部材３９の後端には、該雌型係止部材３９に係合するバネ受け４０が配置されている。
【００３９】
前記ケーシング３２の後部の雌ねじ３６には、ねじ穴４１を設けた蓋板４２が螺着されている。前記収納部３４内には付勢手段であるバネ４３が、前記バネ受け４０と蓋板４２間に圧縮した状態で介在され、該バネ４３の付勢力により前記雌型係止部材３９を常時前側（前方）Ａへ付勢している。
【００４０】
前記蓋板４２にはアンカーバー４４が、ねじ穴４１に螺着して固設されている。
前記のナット３１とアンカーバー４４は、一方の連結部品、例えばコンクリート部材であるシールドセグメント４５に、ケーシング３２の前端面がシールドセグメント４５の接合面４５ａと面一になるように埋設して固設される。
【００４１】
５０は雄型連結部材で、円筒状の弾性部材５１内に、内周に雌ねじ５２を刻設した連結体５３を固設し、該連結体５３の先部に雄型係止部材を形成する雄ねじ体５４の基部を螺着して構成されている。該雄ねじ体５４は、弾性部材５１及び連結体５３の先端面よりも先部へ突出している。また、該雄ねじ体５４の雄ねじ５５の直径は、前記雌型係止部材３９が最前進した場合における雌ねじ３９ｄと、該雌ねじ３９ｄと対向する無ねじ状の面３３ａ間の直径よりも若干大径に設定されている。
【００４２】
前記連結体５３の後部にはアンカーバー５６が螺着して固設されている。
前記の雄型連結部材５０とアンカーバー５６は、他方の連結部材、例えばコンクリート部材であるシールドセグメント５７に、弾性部材５１と連結体５３の前端面がシールドセグメント５７の接合面５７ａと面一になるように埋設して固設される。
【００４３】
本第２実施例の作用を説明する。
図７のように雄ねじ体５４をナット３１の挿入口３７より挿入すると、雄ねじ体５４が雌型係止部材３９をバネ４３の付勢力に抗して後方へ移動させ、かつ、テーパ面３４ｂによって外側へ押し開きながら挿入し、一方のシールドセグメント４５と他方のシールドセグメント５７が当接すると雄ねじ体５４の挿入が停止する。この雄ねじ体５４の挿入時には、雌型係止部材３９は前記第１実施例と同様にナット３１の緩み方向に回動し、また、雄ねじ体５４の停止により、雌型係止部材３９は前記第１実施例と同様にナット３１の緩め方向に自動的に回動し、前記第１実施例と同様に、雄ねじ体５４の雄ねじ５５における最終的に噛合すべきねじ山に噛合する。
【００４４】
そのため、両シールドセグメント４５と５７に隙間が生じないように連結される。
なお、前記図１乃至図６に示す第１実施例のナット１の蓋板１０に図７に示すようなアンカーバー４４を付設して、ナット１を第２実施例のようなシールドセグメントに付設し、また、第１実施例におけるボルト１２を第２実施例の雄ねじ体５４として、これを第２実施例のようなシールドセグメントに付設してもよい。
【００４５】
図９及び図１０は第３実施例を示す。
本第３実施例は、前記第１実施例における雌型係止部材の案内手段を構成する傾斜した摺動案内突条６と雌型係止部材７の傾斜した側面７ｂ，７ｃの代わりに、図９に示すように、ケーシング２のテーパ面５に、軸方向に対して傾斜する案内溝６１を形成し、雌型係止部材７のテーパ状の外面７ａに、前記案内溝６１に摺動可能に嵌合する突起６２，６２を形成して案内手段を構成したものである。
【００４６】
すなわち、雌型係止部材７をテーパ穴部３ａに嵌合するとともにその突起６２を案内溝６１に嵌合することにより、雌型係止部材７が前方Ａへ移動するとこれが締め方向に回動し、後方Ｂへ移動すると緩め方向に回動するようになっている。なお、この第３実施例では、雌型係止部材７の側面は、前記第１実施例のような傾斜した側面７ｂ，７ｃには形成されていない。
【００４７】
その他の構造は前記第１実施例と同様の構造であるため、前記と同一部分には前記と同一の符号を付してその説明は省略する。
本第３実施例においても前記第１実施例と同様の作用、効果を発揮できる。
なお、本第３実施例の案内手段を前記第２実施例に適用してよい。
【図面の簡単な説明】
【００４８】
【図１】本発明の第１実施例を示す部品の分解斜視図。
【図２】（ａ）は図１における摺動案内突条を示す展開図、（ｂ）は雌型係止部材の内面図。
【図３】図１におけるナットの組立状態の縦断面図と雄ねじ体を示す図。
【図４】図３のナットにおける蓋板を外した後面図。
【図５】図３における雌型係止部材を示すもので、（ａ）は後面図、（ｂ）は側面図。
【図６】図３の状態からナットと雄ねじ体を噛合した状態を示す縦断面図。
【図７】本発明の第２実施例を示す縦断面図。
【図８】図７におけるＪ−Ｊ線断面図。
【図９】本発明の第２実施例を示す部品の分解斜視図。
【図１０】図９における雌型係止部材の外面から見た斜視図。
【図１１】従来構造のナットを示すもので、部品の分解斜視図。
【図１２】図１１に示すナットの組立状態における蓋板を外した後面図。
【図１３】図１２における縦断面図。
【図１４】図１２のナットを雄ねじ体に噛合した状態の縦断面図。
【符号の説明】
【００４９】
１    ナット
２    ケーシング
３    挿通部
３ａ    テーパ穴部
４    挿入口
５    テーパ面
６    摺動案内突条（案内手段）
７    雌型係止部材
７ｄ    雌ねじ
１１    付勢手段
【図１】
2005061570.tif 000003
【図２】
2005061570.tif 000004
【図３】
2005061570.tif 000005
【図４】
2005061570.tif 000006
【図５】
2005061570.tif 000007
【図６】
2005061570.tif 000008
【図７】
2005061570.tif 000009
【図８】
2005061570.tif 000010
【図９】
2005061570.tif 000011
【図１０】
2005061570.tif 000012
【図１１】
2005061570.tif 000013
【図１２】
2005061570.tif 000014
【図１３】
2005061570.tif 000015
【図１４】
2005061570.tif 000016